(57)【特許請求の範囲】
【請求項１】
装置本体の前部に設けられて、弁機構部を開放状態とすることによって飲料を注出する注出コックと、
前記装置本体の前部に設けられて、前記注出コックの弁機構部を開閉操作させるコック操作装置と、
前記注出コックの下側にて前記装置本体の前部に設けられて、第１容器を載置する第１受台と、前記第１容器より多い容量の第２容器を載置する第２受台とを備えた容器受台装置と、
前記容器受台装置の第１または第２受台が使用状態であることを検知する検知器と、
前記検知器による前記第１または第２受台が使用状態であることの検知に基づいて、前記コック操作装置の作動を制御することで前記注出コックの弁機構部を前記第１または第２容器の各容量に応じた時間で開放させて前記注出コックから各容器に応じた量の飲料を注出させる制御装置とを備えた飲料自動注出装置であって、
前記制御装置は前記第１及び第２容器での飲料の各注出回数をカウントするカウンタ部を備え、前記装置本体には前記カウンタ部によりカウントした前記第１及び第２容器での飲料の各注出回数を表示する表示部を設け、
前記制御装置は、前記検知器により前記第１受台が使用状態であることを検知したときに、前記表示部に前記カウンタ部にてカウントされた前記第１容器での飲料の注出回数を表示させるようにし、前記検知器により前記第２受台が使用状態であることを検知したときに、前記表示部に前記カウンタ部にてカウントされた前記第２容器での飲料の注出回数を表示させるようにしたことを特徴とする飲料自動注出装置。
【請求項２】
請求項１に記載の飲料自動注出装置において、
前記制御装置は飲料の自動注出をしているときに前記表示部に自動注出をしていることを表示させるようにしたことを特徴とする飲料自動注出装置。
【請求項３】
請求項２に記載の飲料自動注出装置において、
前記制御装置は飲料の自動注出完了後に所定時間で引き続き前記表示部に自動注出をしていることを表示させるようにしたことを特徴とする飲料自動注出装置。
【請求項４】
請求項１〜３の何れか１項に記載の飲料自動注出装置において、
前記制御装置は前記カウンタ部にてカウントした第１及び第２容器での飲料の各注出回数と、各容器に１回毎に注出される飲料の各注出量とを積算した各積算注出量の総和となる総注出量を算出する算出手段を備え、前記算出手段によって算出された総注出量を前記表示部に表示させるようにしたことを特徴とする飲料自動注出装置。
【請求項５】
請求項４に記載の飲料自動注出装置において、
前記注出コックにはガス供給源から飲料を貯蔵した飲料容器に供給されるガスの圧力によって前記飲料容器から飲料を送出する送出経路が接続され、
前記ガス供給源から前記飲料容器に送られるガスの供給経路にはガスの圧力を調整する調圧バルブが介装され、
前記調圧バルブにより調整されたガスの圧力に応じた前記注出コックからの注出流量と、前記第１及び第２容器に飲料を注出するときの１回毎の弁機構部の各開放時間とから、前記第１及び第２容器に飲料を注出する１回毎の各注出量を算出するようにしたことを特徴とする飲料自動注出装置。
【請求項６】
請求項１〜５の何れか１項に記載の飲料自動注出装置において、
前記注出コックには飲料を貯蔵した飲料容器から飲料を送出する送出経路が接続され、
前記送出経路には飲料の非通過を検出することで前記飲料容器の飲料が無くなったことを検知する液切れセンサを備え、
前記制御装置は前記液切れセンサによる前記飲料容器の飲料が無くなったことの検知回数を前記表示部に表示させるようにしたことを特徴とする飲料自動注出装置。
【請求項７】
請求項１〜５の何れか１項に記載の飲料自動注出装置において、
前記注出コックには飲料を貯蔵した飲料容器から飲料を送出する送出経路が接続され、
前記送出経路には飲料の非通過を検出することで前記飲料容器の飲料が無くなったことを検知する液切れセンサを備え、
前記制御装置は前記液切れセンサによる前記飲料容器の飲料が無くなったことの検知に基づいて前記カウンタ部にカウントされた各注出回数をリセットするようにしたことを特徴とする飲料自動注出装置。
【請求項８】
請求項７に記載の飲料自動注出装置において、
前記注出コックには飲料を貯蔵した飲料容器から飲料を送出する送出経路が接続され、
前記送出経路には飲料の非通過を検出することで前記飲料容器の飲料が無くなったことを検知する液切れセンサを備え、
前記制御装置は前記液切れセンサによる前記飲料容器の飲料が無くなったことの検知に基づいて前記算出手段により算出した総注出量をリセットするようにしたことを特徴とする飲料自動注出装置。
【発明の詳細な説明】
【技術分野】
【０００１】
本発明は、生ビール等の飲料を注出する飲料自動注出装置に関する。
【背景技術】
【０００２】
特許文献１には生ビール等の飲料を注出する飲料自動注出装置が開示されている。飲料自動注出装置は、装置本体の前部に設けられて、操作レバーを傾動させることで弁機構部を開放状態として飲料を注出する注出コックと、装置本体の前部に設けられて注出コックの操作レバーを傾動させることで弁機構部を開閉させるコック駆動装置と、装置本体の前部の注出コックの下側に設けられてグラス等の容器を載置する容器受台装置とを備えている。この飲料自動注出装置は、コック駆動装置の作動を制御する制御装置を備えており、操作パネルの自動注出操作ボタンをオン操作すると、制御装置はコック駆動装置により注出コックの操作レバーを容器の容量に応じた時間で傾動させ、注出コックから所定量の飲料を自動注出させるように制御している。
【０００３】
この飲料自動注出装置の容器受台装置は、装置本体の前部に傾動可能に支持した傾動基板と、傾動基板の上下方向の中間部に設けた上側受台と下部に設けた下側受台とを備えており、グラス等の小型の容器を上側の受台に載置し、ジョッキ等の大型の容器を下側の受台に載置するようにして、容器の上縁を注出コックのノズルにできるだけ近づけるようにし、上側または下側受台に載置した容器を傾動基板とともに傾斜させることでビール等の発泡性飲料が過剰に泡立たないように注出するようにしている。
【０００４】
上側の受台は前方に突出して容器を載置可能な使用位置と、傾動基板に沿うように起立させて退避させる退避位置との間で傾動基板に回動可能に支持されている。グラス等の小型の容器に飲料を注出するときには、使用位置にした上側の受台にグラス等の小型の容器を載置し、ジョッキ等の大型の容器に飲料を注出するときには、上側の受台を退避位置にして下側の受台にジョッキ等の大型の容器を載置する。容器受台装置に容量の異なる容器を載置可能にしたことに対応して、装置本体には上側の受台が使用位置にあるか退避位置にあるか否かを検知するリードスイッチよりなる検知器が設けられている。
【０００５】
検知器により上側の受台にグラス等の小型の容器が載置されていることを検知したときには、制御装置はコック駆動装置により注出コックの操作レバーを小型の容器の容量に応じた時間で傾動させ、注出コックから小型の容器の容量に応じた飲料を自動注出させるように制御し、検知器により下側の受台にジョッキ等の大型の容器が載置されていることを検知したときには、制御装置はコック駆動装置により注出コックの操作レバーを小型の容器の容量に応じた時間で傾動させ、注出コックから小型の容器の容量に応じた飲料を自動注出させるように制御している。
【先行技術文献】
【特許文献】
【０００６】
【特許文献１】特開２００１−１９９５００号公報
【発明の概要】
【発明が解決しようとする課題】
【０００７】
上記のような特許文献１に記載の飲料自動注出装置においては、飲食店等の店員が接客をしながら２種類の容器での飲料の各注出回数をカウントすると、接客に支障が生じる場合があり、各注出回数を正確に把握することができなかった。また、この飲料自動注出装置は、ビア樽等から注出コックに送られる飲料経路に飲料の流量を検出する流量センサ等を備えたものでないので、注出コックから送出された飲料の注出量を知ることができず、飲食店等の営業中にビア樽内のビール等の飲料が突然なくなることがあった。本発明は、容器受台装置に第１及び第２受台を有して２種類の容器に飲料を自動注出するようにした飲料自動注出装置において、第１及び第２容器に飲料を自動注出した各注出回数を表示できるようにして利便性を高めることを目的とする。
【課題を解決するための手段】
【０００８】
本発明は上記課題を解決するため、装置本体の前部に設けられて、弁機構部を開放状態とすることによって飲料を注出する注出コックと、装置本体の前部に設けられて、注出コックの弁機構部を開閉操作させるコック操作装置と、注出コックの下側にて装置本体の前部に設けられて、第１容器を載置する第１受台と、第１容器より多い容量の第２容器を載置する第２受台とを備えた容器受台装置と、容器受台装置の第１または第２受台が使用状態であることを検知する検知器と、検知器による第１または第２受台が使用状態であることの検知に基づいて、コック操作装置の作動を制御することで注出コックの弁機構部を第１または第２容器の各容量に応じた時間で開放させて注出コックから各容器に応じた量の飲料を注出させる制御装置とを備えた飲料自動注出装置であって、制御装置は第１及び第２容器での飲料の各注出回数をカウントするカウンタ部を備え、装置本体にはカウンタ部によりカウントした第１及び第２容器での飲料の各注出回数を表示する表示部を設け、制御装置は、検知器により第１受台が使用状態であることを検知したときに、表示部にカウンタ部にてカウントされた第１容器での飲料の注出回数を表示させるようにし、検知器により第２受台が使用状態であることを検知したときに、表示部にカウンタ部にてカウントされた第２容器での飲料の注出回数を表示させるようにしたことを特徴とする飲料自動注出装置を提供するものである。
【０００９】
上記のように構成した飲料自動注出装置においては、制御装置は第１及び第２容器での飲料の各注出回数をカウントするカウンタ部を備え、装置本体にはカウンタ部によりカウントした第１及び第２容器での飲料の各注出回数を表示する表示部を設け、制御装置は、検知器により第１受台が使用状態であることを検知したときに、表示部にカウンタ部にてカウントされた第１容器での飲料の注出回数を表示させるようにし、検知器により第２受台が使用状態であることを検知したときに、表示部にカウンタ部にてカウントされた第２容器での飲料の注出回数を表示させるようにした。これによって、第１及び第２容器の各々を載置する第１及び第２受台を各々の使用状態とするだけで、表示部には使用状態とした第１及び第２受台に応じた第１及び第２容器での飲料の各々の注出回数を簡単に切り替えて表示させることができ、飲料自動注出装置の飲料の販売集計の利便性が向上した。
【００１０】
上記のように構成した飲料自動注出装置においては、制御装置は飲料の自動注出をしているときに表示部に自動注出をしていることを表示させるのが好ましく、このようにしたときには、飲料を自動注出していることを直感的に知ることができるようになり、自動注出中に間違って容器を取り出すことを防ぐことができた。このようにした飲料自動注出装置においては、制御装置は飲料の自動注出完了後に所定時間で引き続き表示部に自動注出をしていることを表示させるようにするのが好ましく、このようにしたときには、自動注出完了後に直ぐに受台に新たな容器が載置されないようにして、自動注出完了後も注出コックから垂れて落ちる飲料が新たな容器に落下するのを防ぐことができた。
【００１１】
上記のように構成した飲料自動注出装置においては、制御装置はカウンタ部にてカウントした第１及び第２容器での飲料の各注出回数と、各容器に１回毎に注出される飲料の各注出量とを積算した各積算注出量の総和となる総注出量を算出する算出手段を備え、算出手段によって算出された総注出量を表示部に表示させるようにするのが好ましく、このようにしたときには、表示部に表示された総注出量を知ることができ、また、総注出量からビア樽等の飲料容器の残量を把握することができるようになった。この場合において、注出コックにはガス供給源から飲料を貯蔵した飲料容器に供給されるガスの圧力によって飲料容器から飲料を送出する送出経路が接続され、ガス供給源から飲料容器に送られるガスの供給経路にはガスの圧力を調整する調圧バルブが介装され、調圧バルブにより調整されたガスの圧力に応じた注出コックからの注出流量と、第１及び第２容器に飲料を注出するときの１回毎の弁機構部の各開放時間とから、第１及び第２容器に飲料を注出する１回毎の各注出量を算出してもよい。
【００１２】
上記のように構成した飲料自動注出装置においては、注出コックには飲料を貯蔵した飲料容器から飲料を送出する送出経路が接続され、送出経路には飲料の非通過を検出することで飲料容器の飲料が無くなったことを検知する液切れセンサを備え、制御装置は液切れセンサによる飲料容器の飲料が無くなったことの検知回数を表示部に表示させるのが好ましく、このようにしたときには、飲料容器の交換した回数を直ぐに把握することができるようになった。
【００１３】
上記のように構成した飲料自動注出装置においては、注出コックには飲料を貯蔵した飲料容器から飲料を送出する送出経路が接続され、送出経路には飲料の非通過を検出することで飲料容器の飲料が無くなったことを検知する液切れセンサを備え、制御装置は液切れセンサによる飲料容器の飲料が無くなったことの検知に基づいてカウンタ部にカウントされた各注出回数をリセットするのが好ましく、このようにしたときには、注出コックに接続されている飲料容器の第１及び第２容器での飲料の各注出回数を知ることができるようになった。
【００１４】
上記のように構成した飲料自動注出装置においては、注出コックには飲料を貯蔵した飲料容器から飲料を送出する送出経路が接続され、送出経路には飲料の非通過を検出することで飲料容器の飲料が無くなったことを検知する液切れセンサを備え、制御装置は液切れセンサによる飲料容器の飲料が無くなったことの検知に基づいて算出手段により算出した総注出量をリセットするのが好ましく、このようにしたときには、注出コックに接続されている飲料容器の総注出量を知ることができるようになった。
【図面の簡単な説明】
【００１５】
【図１】本発明による飲料自動注出装置の一実施形態の斜視図である。
【図２】図１の縦方向断面図である。
【図３】飲料自動注出装置の飲料容器との接続を示す概略図である。
【図４】図１の正面図であり、左側の操作パネルのカバーが閉じられ、右側の操作パネルのカバーが開放された正面図である。
【発明を実施するための形態】
【００１６】
以下に、本発明による飲料自動注出装置の一実施形態を図面を参照して説明する。本発明の飲料自動注出装置１０は注出コック２０からグラス（第１容器）やジョッキ（第２容器）にビール（飲料）を自動注出するものであり、特に、グラスやジョッキ内でビールが過剰に泡立つのを防ぐように注出するものである。この実施形態の飲料自動注出装置１０は、注出コック２０、コック駆動装置２４、容器受台装置３０及び受台傾動装置４０を含む自動注出ユニットを左右に２つ備えており、自動注出ユニットは左右同一のものであるので以後の説明では一方のみを説明する。
【００１７】
図１及び図２に示したように、本発明の飲料自動注出装置１０は、装置本体１１の前部に設けられて、弁機構部２１ａを開放状態とすることによってビールを注出する注出コック２０と、装置本体１１の前部に設けられて注出コック２０の弁機構部２１ａを開閉操作させるコック駆動装置（コック操作装置）２４と、注出コック２０の下側にて装置本体１１の前部に設けられて、グラス等の小型の容器（第１容器）を載置する上側の受台（第１受台）３２ａと、グラス等の小型の容器より多い容量のジョッキ等の大型の容器（第２容器）を載置する下側の第２受台（第２受台）３２ｂとを備えた容器受台装置３０と、装置本体１１に設けられて容器受台装置３０の上側または下側の受台３２ａ，３２ｂが使用状態であることを検知する検知器３３と、検知器３３による上側または下側の受台３２ａ，３２ｂが使用状態であることの検知に基づいて、コック駆動装置２４の作動を制御することで注出コック２０の弁機構部２１ａをグラス等の小型の容器またはジョッキ等の大型の容器の各容量に応じた時間で開放させて、注出コック２０から各容器に応じた量の飲料を注出させる制御装置５０とを備えている。飲料自動注出装置１０においては、制御装置５０はグラス等の小型の容器またはジョッキ等の大型の容器でのビールの各注出回数をカウントするカウンタ部を備え、カウンタ部によりカウントした小型及び大型の各容器でのビールの各注出回数を表示する表示部６７を設けた。以下に、この飲料自動注出装置１０について詳述する。
【００１８】
図２に示したように、飲料自動注出装置１０は、装置本体１１内に冷却水槽１２と、この冷却水槽１２内の冷却水を冷却する冷凍装置１３とを内蔵している。冷却水槽１２内には飲料冷却管１４が設けられており、図３に示したように、飲料冷却管１４の導入端部には装置本体１１の外部に設けたビア樽（飲料容器）ＴがビールホースＴ１により接続され、飲料冷却管１４の導出端部１４ａには装置本体１１の上部に設けた注出コック２０が接続されている。なお、ビア樽Ｔにはガスボンベ（ガス供給源）ＧがガスチューブＧ１により接続されており、ビア樽ＴのビールはガスボンベＧの炭酸ガスの圧力によって飲料冷却管１４に送られるようになっている。ガスボンベＧのガスの送出部には調圧バルブＶが介装されており、ガスチューブＧ１に送られる炭酸ガスの圧力は所定の圧力となるように調整されている。ガスチューブＧ１には圧力センサＧ２が介装されており、圧力センサＧ２はガスチューブＧ１の炭酸ガスの圧力を検出する。また、ビールホースＴ１には液切れセンサＴ２が介装されており、液切れセンサＴ２はビール（飲料）の非通過を検出することでビア樽Ｔのビールが無くなったことを検知する。
【００１９】
図１及び図２に示したように、注出コック２０は、グラスにビールを注出するものであり、弁機構部２１ａを内蔵した筒状の本体部２１の上部に操作レバー２２と、下部に注出ノズル２３（２３ａ，２３ｂ）とを備えている。本体部２１の弁機構部２１ａは開放状態とすることによって注出ノズル２３にビールを導くものである。また、弁機構部２１ａは、液用開放状態とすることで液用の注出ノズル２３ｂに液状態のビールを導き、泡用開放状態とすることで泡用の注出ノズル２３ａに泡状態のビールを導くようになっている。操作レバー２２は弁機構部２１ａを閉止状態と開放状態との開閉操作を行うためのものである。操作レバー２２は、垂直に起立した中立位置にあるときには弁機構部２１ａを閉止状態とし、前方に傾動（前傾）させると弁機構部２１ａを液用開放状態とし、後方に傾動（後傾）させると弁機構部２１ａを泡用開放状態とする。注出ノズル２３は弁機構部２１ａを通過したビールをグラスまたはジョッキに注出するものであり、本体部２１の下部の前部にビールを泡状態で注出する泡用の注出ノズル２３ａと、本体部２１の下部の後部にビールを液状態で注出する液用の注出ノズル２３ｂとを備えている。
【００２０】
図１及び図２に示したように、コック駆動装置（コック操作装置）２４は注出コック２０の弁機構部２１ａを開閉操作させるためのものである。この実施形態のコック駆動装置２４は、サーボモータ２５の駆動によりスライダ２６を前後させ、前後に移動するスライダ２６によって注出コック２０の操作レバー２２を前傾または後傾させ、注出コック２０の弁機構部２１ａを開閉操作するものである。
【００２１】
図１及び図２に示したように、装置本体１１の前部にはグラスやジョッキを載置する容器受台装置３０が設けられている。この実施形態の容器受台装置３０は、注出コック２０から注出されるビールをグラスまたはジョッキ内にできるだけ泡立つことのないように注出することを目的としたものであり、グラスまたはジョッキを前後方向に傾斜させることを可能としたものである。容器受台装置３０は、その上端部が装置本体１１の前面に水平軸線回りに傾動可能に軸架された傾動基板３１と、傾動基板３１に取り付けた受台３２（３２ａ，３２ｂ）とを備えている。傾動基板３１は後面が押動されると下端部が斜め前方に押し上げられて傾動する。受台３２は傾動基板３１の上下方向の中間部と下部とに上下２段に取り付けた受台３２ａ，３２ｂとからなる。上段の受台３２ａは主としてグラス等の小型の容器を載置するものであり、下段の受台３２ｂは主としてグラスよりも容量の多いジョッキ等の大型の容器を載置するものである。
【００２２】
上段の受台３２ａは傾動基板３１に対して水平軸線回りに回動可能に支持されており、下段の受台３２ｂにジョッキを載置するときには、上段の受台３２ａを前方に突出した使用位置から傾動基板３１に沿う退避位置まで退避させる。装置本体１１の前部には上段または下段の受台３２ａ，３２ｂが使用状態であることを検知する検知器３３が設けられており、検知器３３はこの実施形態ではリードスイッチ等の近接スイッチを用いている。上段の受台３２ａの側部には検知器３３により検知される被検知部材として磁石３４が設けられており、磁石３４は上段の受台３２ａが退避位置に退避したときに検知器３３に近接するようになっている。具体的には、グラスを載置するときのように、上段の受台３２ａが傾動基板３１から前方に突出した使用位置にあるときには、磁石３４は検知器３３から離間しており、検知器３３は磁石３４が離間していることでオフ信号を出力し、上段の受台３２ａが使用状態であることを検知する。これに対し、下段の受台３２ｂにジョッキを載置するときのように、上段の受台３２ａが傾動基板３１に沿う退避位置にあるときには、磁石３４は検知器３３に近接しており、検知器３３は磁石３４が近接していることでオン信号を出力し、下段の受台３２ｂが使用状態であることを検知する。
【００２３】
図１及び図２に示したように、受台傾動装置４０は、傾動基板３１を起立姿勢から傾斜した傾斜姿勢に傾動させ、傾斜姿勢から起立姿勢に復帰させるものである。受台傾動装置４０は、サーボモータ４１と、サーボモータ４１の駆動によって前後に伸縮するアーム４２とを有している。受台傾動装置４０は、サーボモータ４１によりアーム４２を前方に伸ばして、容器受台装置３０の傾動基板３１を前方に押し出して起立姿勢から傾斜姿勢に傾動させる。受台傾動装置４０は、サーボモータ４１によりアーム４２を後方に縮めて容器受台装置３０の傾動基板３１を後方に戻して、容器受台装置３０の傾動基板３１を傾斜姿勢から起立姿勢に復帰させる。
【００２４】
図３に示したように、飲料自動注出装置１０は、グラス等の容器にビールを自動注出するのを制御する制御装置５０を備えており、制御装置５０は、圧力センサＧ２、液切れセンサＴ２、コック駆動装置２４（特にサーボモータ２５）、検知器３３及び受台傾動装置４０（特にサーボモータ４１）に接続されている。制御装置５０は内蔵するマイクロコンピュータによりメモリに記憶させた自動注出プログラムを実行すると、コック駆動装置２４の作動を制御して操作レバー２２を一定時間傾動させることで弁機構部２１ａを開放させて、注出コック２０の注出ノズル２３からグラスやジョッキに所定量のビールを注出させる。また、この実施形態では、ビールを注出させるのに対応して、受台傾動装置４０の作動を制御して、容器受台装置３０の傾動基板３１及び受台３２ａ，３２ｂに載置したグラス及びジョッキの姿勢を制御している。
【００２５】
図１及び図４に示したように、装置本体１１の前部には飲料自動注出装置１０の操作をするための操作パネル６０が設けられている。この実施形態では、操作パネル６０は装置本体１１の前部に設けたコック駆動装置２４の筐体前面に取り付けられている。操作パネル６０には、各種操作ボタンとして、自動注出操作ボタン６１と、注出停止ボタン６２と、切替ボタン６３と、設定ボタン６４と、泡注出ボタン６５と、液注出ボタン６６と、注出条件等を表示する表示部６７と、ビア樽Ｔのビールが無くなったことを表示する液切れランプ（表示部）６８とが設けられている。自動注出操作ボタン６１はオン操作すると制御装置５０に自動注出信号を送信する。自動注出操作ボタン６１にはランプが設けられており、自動注出操作ボタン６１は自動注出の待機中にランプが点灯し、自動注出中にランプが点滅するようになっている。自動注出操作ボタン６１は自動注出の操作をする以外に、自動注出をしていることを表示する表示部としての機能を有している。表示部６７は、７セグにより切替ボタン６３と設定ボタン６４等により設定した注出条件等を表示するものであり、注出回数、注出量等も表示可能としたものである。液切れランプ６８は液切れセンサＴの検知に基づいて点灯し、ビア樽Ｔにビールが無くなったことを表示するものである。なお、液切れランプ６８はランプの点灯に限られるものでなく、文字等により液切れを表示するようにしたものであってもよい。操作パネル６０にはカバー６９が開閉自在に設けられており、カバー６９は操作パネル６０の上端部に水平軸線回りに回動可能に取り付けられている。
【００２６】
制御装置５０は、メモリにグラス及びジョッキでのビールの各注出回数をカウントするカウンタ部を備え、カウンタ部によりカウントしたグラス及びジョッキでのビールの各注出回数を表示部６７に表示可能としている。また、制御装置５０は、検知器３３により上側の受台３２ａが使用状態であることを検知したときに、カウンタ部にてカウントされたグラスでのビールの注出回数を表示部６７に表示させるようにし、検知器３３により下側の受台３２ｂが使用状態であることを検知したときに、カウンタ部にてカウントされたジョッキでのビールの注出回数を表示部６７に表示させるようにしている。
【００２７】
制御装置５０は、自動注出操作ボタン６１をオン操作するまでは、自動注出操作ボタン６１のランプを点灯させて、自動注出の待機状態であることを表示している。また、制御装置５０は、自動注出操作ボタン６１をオン操作して自動注出の制御をしている間は、自動注出操作ボタン６１のランプを点滅させて、自動注出をしていることを表示している。なお、制御装置５０は、コック駆動装置２４により操作レバー２２を中立位置に戻すことで、注出コック２０の弁機構部２１ａを閉止状態として自動注出を完了させた後で、所定時間として例えば５秒間、自動注出操作ボタン６１のランプを点滅させるように制御している。なお、自動注出を完了させた後で自動注出操作ボタン６１のランプを５秒間、点滅させるように制御したが、これに限られるものでなく、この実施形態では、自動注出を完了させた後の例えば０〜１０秒間の１秒単位で自動注出操作ボタン６１のランプの点滅時間を変更可能としている。
【００２８】
制御装置５０は、メモリのカウンタ部にカウントされているグラス及びジョッキの各注出回数と、グラス及びジョッキにビールを注出するときの１回毎の注出量とを積算した各積算注出量の総和となる総注出量を算出する算出プログラムを備え、算出した総注出量を表示部６７に表示可能としている。具体的には、注出コック２０にはガスボンベ（ガス供給源）Ｇからビア樽（飲料容器）Ｔに供給される炭酸ガス（ガス）の圧力によってビア樽Ｔからビールを送出する送出経路としてビールホースＴ１と飲料冷却管１４とが接続されている。また、ガスボンベＧからビア樽Ｔに送られるガスの供給経路として、ガスボンベＧのガスの送出部には炭酸ガスの圧力を調整する調圧バルブＶが介装されており、ガスチューブＧ１には圧力センサＧ２が介装されている。ビア樽Ｔに付与されている炭酸ガスの圧力は調圧バルブＶにより所定の圧力となるように調整されているため、ビア樽Ｔからビールの送出経路を通過して注出コック２０から注出されるビールの流量は調圧バルブＶにより調整された圧力に基づいて一定の流量となっている。
【００２９】
このため、制御装置５０に入力される圧力センサＧ２による検出圧力に基づいて、制御装置５０はメモリに記憶された炭酸ガスの圧力とビールの流量の相関関係を規定するデータから注出コック２０から注出されるビールの流量（注出流量）を導き出すことができる。制御装置５０は、導き出された注出コック２０からのビールの流量と、グラス及びジョッキにビールを注出するときの１回毎の弁機構部２１ａの各開放時間とから、グラス及びジョッキにビールを注出する１回毎の各注出量を算出する。制御装置５０は、グラス及びジョッキでのビールの各注出回数とグラス及びジョッキにビールを注出する１回毎の各注出量とを積算した各積算注出量の総和となる総注出量を算出し、算出した総注出量を表示部に表示可能としている。なお、制御装置５０に入力される圧力センサＧ２による検出圧力に基づいて、制御装置５０はメモリに記憶された炭酸ガスの圧力とビールの流量の相関関係を規定するデータから注出コック２０から注出されるビールの流量（注出流量）を導き出すようにしているが、操作パネル６０の各種操作ボタンを操作することで、調圧バルブＶにより調整された炭酸ガスの圧力を制御装置５０に入力してビールの流量を導き出してもよい。さらに、操作パネル６０の各種操作ボタンを操作することで、グラス及びジョッキにビールを注出する１回毎の注出量を制御装置５０に直接入力しておき、グラス及びジョッキでのビールの各注出回数と予め入力しておいたグラス及びジョッキにビールを注出する１回毎の各注出量とを積算した各積算注出量の総和となる総注出量を算出するようにしてもよい。
【００３０】
制御装置５０は、液切れセンサＴ２によりビールの非通過を検出する、すなわち、ビア樽Ｔのビールが無くなったことを検知すると、液切れランプ６８にビア樽Ｔのビールが無くなったことを表示するようにしている。また、制御装置５０は液切れセンサＴ２によりビア樽Ｔのビールが無くなったことを検知した検知回数をメモリにカウントしており、各種操作ボタンを操作することで表示部６７にビア樽Ｔのビールか無くなった検知回数（ビア樽Ｔの交換回数でもある）を表示可能としている。
【００３１】
制御装置５０は、液切れセンサＴ２によりビア樽Ｔのビールが無くなったことを検知したときに、グラス及びジョッキでのビールの各注出回数をリセットして表示部６７に表示させている。同様に、制御装置５０は、液切れセンサＴ２によりビア樽Ｔのビールが無くなったことを検知したときに、ビールの総注出量をリセットして表示部６７に表示させている。なお、液切れセンサＴ２によりビア樽Ｔのビールが無くなったことを検知しても、グラス及びジョッキでのビールの各注出回数または総注出量をリセットさせずに手動でリセットさせるようにしてもよいし、また、制御装置５０は、液切れセンサＴ２によりビア樽のビールが無くなったときにグラス及びジョッキでのビールの各注出回数または総注出量をリセットさせたものであっても、これ以外に、１日毎、１週間毎等のように、定期的なグラス及びジョッキでのビールの各注出回数または総注出量をメモリに記憶させるようにして、定期的な各注出回数または総注出量を表示部６７に表示させてもよい。
【００３２】
上記のように構成した飲料自動注出装置１０の自動注出プログラムの作動について説明する。装置本体１１内の冷却水槽１２内の冷却水は冷凍装置１３により冷却されている。グラスにビールを注出するときには、上段の受台３２ａを使用位置にして、上段の受台３２ａにグラスを載置する。上段の受台３２ａが傾動基板３１から前方に突出しているときには、上段の受台３２ａの側部の磁石３４が検知器３３から離間しており、検知器３３は上段の受台３２ａが使用状態であることの検知であるオフ信号を制御装置５０に出力している。
【００３３】
制御装置５０は、自動注出操作ボタン６１のオン操作が入力されて自動注出プログラムを実行させるまでは、自動注出操作ボタン６１のランプを点灯させて、自動注出プログラムが待機中であると表示させている。自動注出操作ボタン６１をオン操作すると、制御装置５０は、自動注出操作ボタン６１のランプを点滅させて自動注出のプログラムを実行していることを表示させる。自動注出操作ボタン６１をオン操作すると、制御装置５０は、受台傾動装置４０により容器受台装置３０の傾動基板３１の後面を押動して前方に押し出す。傾動基板３１は傾斜姿勢になり、受台３２ａに載置したグラスは傾動基板３１とともに傾斜して傾斜姿勢となる。制御装置５０は、コック駆動装置２４によりグラスに対応した時間で操作レバー２２を前方に傾動させる。注出コック２０の弁機構部２１ａはグラスに対応した時間で液用に開放され、液用の注出ノズル２３ｂから傾斜させたグラスに液状態のビールが注出される。
【００３４】
液状態のビールを注出すると、制御装置５０は、コック駆動装置２４により操作レバー２２を中立位置に戻し、弁機構部２１ａを閉止状態とすることで、注出コック２０からビールの注出を停止させるとともに、受台傾動装置４０による傾動基板３１の傾斜姿勢を起立姿勢に戻すことで、受台３２ａに載置したグラスを起立姿勢に戻す。次に、制御装置５０は、コック駆動装置２４によりグラスに対応した時間で操作レバー２２を後方に傾動させる。注出コック２０の弁機構部２１ａはグラスに対応した時間で泡用に開放され、泡用の注出ノズル２３ａからグラスに泡状態のビールが注出される。グラスに対応した時間での泡状態のビールの注出が終了すると、制御装置５０は、コック駆動装置２４により操作レバー２２を中立位置に戻し、注出コック２０の弁機構部２１ａを再び閉止状態とする。制御装置５０は、上記のようにグラスにビールの自動注出をすると、メモリにグラスへのビールの注出回数を１回加算する。また、制御装置５０は、コック駆動装置２４により操作レバー２２を中立位置に戻すことで、注出コック２０の弁機構部２１ａを閉止状態として自動注出を完了させた後で、所定時間として５秒経過した後で、自動注出操作ボタン６１のランプを点滅から点灯に変えて、再び、自動注出プログラムが待機中であると表示させる。
【００３５】
グラスと同様にジョッキにビールを注出するときには、上段の受台３２ａを退避位置として下段の受台３２ｂにジョッキを載置する。上段の受台３２ａが傾動基板３１に沿う退避位置にあるときには、上段の受台３２ａの側部の磁石３４が検知器３３に近接しており、検知器３３は下段の受台３２ａが使用状態であることの検知であるオン信号を制御装置５０に出力している。
【００３６】
操作パネル６０の自動注出操作ボタン６１をオン操作すると、制御装置５０は、グラスと同様にジョッキにビールを自動注出する。このとき、制御装置５０はコック駆動装置２４によりジョッキに対応した時間で操作レバー２２を前方または後方に傾動させること以外は上述したようにグラスにビールを自動注出するときと同様である。制御装置５０は、ジョッキにビールの自動注出をすると、メモリにジョッキへのビールの注出回数を１回加算する。
【００３７】
操作パネル６０の各種操作ボタンをオン操作すると、グラス及びジョッキでのビールの各注出回数が表示部６７に表示される。特に、上側の受台３２ａが前方に突出した使用位置にあるときには、制御装置５０は検知器３３による上側の受台３２ａが使用状態であるとの検知に基づいて、グラスでのビールの注出回数が表示部６７に表示されるように制御している。上側の受台３２ａが傾動基板３１に沿う退避位置にあるときには、制御装置５０は検知器３３による下側の受台３２ｂが使用状態であるとの検知に基づいて、ジョッキでのビールの注出回数が表示部６７に表示されるように制御している。
【００３８】
上記のように構成した飲料自動注出装置１０においては、制御装置５０は小型の容器としてグラスと大型の容器としてジョッキでのビールの各注出回数をカウントするカウンタ部を備え、カウンタ部によりカウントしたグラス及びジョッキでのビールの各注出回数を表示部６７に表示するようにしたので、飲食店の店員等は表示部６７でグラス及びジョッキでのビールの各注出回数を知ることができ、飲料自動注出装置１０のビールの販売集計の利便性が向上した。
【００３９】
飲料自動注出装置１０においては、制御装置５０は、検知器３３により上側の受台３２ａが使用状態であることを検知したときに、表示部６７にカウンタ部にてカウントされたグラスでのビールの注出回数を表示させるようにし、検知器３３により下側の受台３２ｂが使用状態であることを検知したときに、表示部６７にカウンタ部にてカウントされたジョッキでのビールの注出回数を表示させるようにした。このようにしたときには、グラスとジョッキの各々を載置する上側及び下側の受台３２ａ，３２ｂを各使用状態とするだけで、表示部６７に表示されるグラスとジョッキでの各々のビールの注出回数を切り替えることでき、グラスとジョッキでのビールの各々の注出回数を簡単に切り替えて表示部６７に表示させることができた。
【００４０】
飲料自動注出装置１０においては、制御装置５０は、ビールの自動注出をしているときに自動注出操作ボタン６１のランプを点滅させることでビールを自動注出をしていることを表示させている。これにより、ビールを自動注出していることを直感的に知ることができるようになり、自動注出中に間違って受台３２ａ，３２ｂからグラスまたはジョッキを取り出すことを防ぐことができた。
【００４１】
注出コック２０の弁機構部２１ａを閉止させた直後は、注出コック２０に残るビールが注出ノズル２３ａ，２３ｂからグラスまたはジョッキに垂れて落ちることがある。受台３２ａ，３２ｂに載置した新たなグラスまたはジョッキに液状態のビールを注出する前に泡状態のビールが垂れて落ちていると、注出された液状態のビールが垂れて落ちた泡状態のビールが起因となって過剰に泡立つことがあり、新たなグラスまたはジョッキに泡状態のビールを垂らさないようにしておく必要がある。
【００４２】
制御装置５０はビールの自動注出完了後に所定時間として５秒間、自動注出操作ボタン６１のランプを引き続き点滅させるように制御し、店員等に注出コック２０の注出ノズル２３ａ，２３ｂからビールが垂れて落ちるおそれがあることを注意喚起している。これにより、ビールの自動注出完了後に直ぐに受台３２ａ，３２ｂに新たなグラスまたはジョッキが載置されないようにして、注出コック２０の注出ノズル２３ａ，２３ｂから垂れて落ちる泡状態のビールが新たなグラスまたはジョッキに落下するのを防ぐことができた。
【００４３】
飲料自動注出装置１０においては、制御装置５０はカウンタ部にてカウントしたグラス及びジョッキでのビールの各注出回数と、グラス及びジョッキに１回毎に注出されるビールの各注出量とを積算した各積算注出量の総和となる総注出量を算出する算出プログラムを備え、算出プログラムによって算出された総注出量を表示部６７に表示可能としている。これにより、飲食店の店員等のオペレータは表示部６７に表示された総注出量を知ることができ、また、総注出量からビア樽Ｔの残量を把握することができるようになる。
【００４４】
また、従来の飲料注出装置では、飲料経路に飲料の流量を検出する流量センサを介装し、流量センサの検出結果に基づいて飲料の注出量またはビア樽等の飲料容器の残量などを表示したり、ビア樽等の飲料容器に炭酸ガスを送るガス経路に炭酸ガスの流量を検出するガス流量センサを介装し、ガス流量センサの検出結果に基づいて飲料の注出量またはビア樽等の飲料容器の残量を表示するものもある。しかし、飲料経路に流量センサを介装したときには、飲料経路の流量センサを設けた部分の近傍で汚れが溜まりやすくなることがあり、また、ガス経路にガス流量センサを介装したときには、ガス流量センサが高価であるために、コストが高くなる問題があるが、流量センサ及びガス流量センサを用いることなく、注出量を算出することができるので、上記の問題が発生することはない。
【００４５】
飲料自動注出装置１０においては、制御装置５０は液切れセンサＴ２によるビア樽Ｔのビールが無くなったことの検知回数を表示部６７に表示させた。これにより、飲食店の店員等はビア樽Ｔの交換した回数を直ぐに把握することができるようになる。
【００４６】
飲料自動注出装置１０においては、制御装置５０は液切れセンサＴ２によるビア樽Ｔのビールが無くなったことの検知に基づいてカウンタ部にカウントされたグラス及びジョッキでのビールの各注出回数をリセットさせた。これにより、注出コック２０に接続されているビア樽Ｔのグラス及びジョッキでのビールの各注出回数を知ることができるようになる。また、制御装置５０は液切れセンサＴ２によるビア樽Ｔのビールが無くなったことの検知に基づいて算出手段により算出した総注出量をリセットさせた。これにより、注出コック２０に接続されているビア樽Ｔの総注出量をすることができるようになる。
【００４７】
また、操作パネル６０の表示部６７にはグラス及びジョッキでのビールの各注出回数を表示可能としている。これにより、グラス及びジョッキでのビールの販売数を確認することができ、飲料自動注出装置１０の各容器でのビールの販売集計の利便性が向上した。なお、制御装置５０には、液切れセンサＴ２によりビア樽Ｔのビールが無くなったことを検知したときに各注出回数をリセットさせるようにしつつ、別途、１日、１週間、１カ月毎の各注出回数をメモリに記憶させておいて、各期間における各注出回数を表示部６７に表示させるようにすると販売集計の利便性をさらに向上させることができる。
【００４８】
上記のように構成した飲料自動注出装置１０においては、飲料としてビールを注出するもので説明したが、本発明はこれに限られるものでなく、発泡酒、酎ハイ、炭酸飲料、ソフトドリンク等の他の飲料に適用できるものであり、これらの飲料を注出するものであっても上述したのと同様の作用効果を得ることができる。
【００４９】
上記のように構成した飲料自動注出装置１０においては、第１容器としてグラスを用いて説明し、第２容器としてジョッキを用いて説明したが、本発明はこれに限られるものでなく、第１容器として小型のグラスを用い、第２容器として大型のグラス用いたものであってもよいし、第１容器として小型のジョッキを用い、第２容器として大型のジョッキを用いたものであってもよい。さらに、容器の形状はグラスやジョッキに特定したものに限られるものでない。
【００５０】
上記のように構成した飲料自動注出装置１０においては、コック駆動装置（コック操作装置）２４は、操作レバー２２によって閉止状態から液用開放状態または泡用開放状態に操作することで、注出コック２０の本体部２１に内蔵した弁機構部２１ａを液状態または泡状態のビールが注出されるように操作したものである。本発明はこれに限られるものでなく、例えば、注出コック２０に設けた電磁弁等の開閉弁を開閉操作するものであってもよい。この場合には、液用の開閉弁と泡用の開閉弁を別々に設け、各々の開閉弁を開閉動作させることによって、液状態と泡状態の発泡性飲料を選択的に注出できるようにする。
【００５１】
上記のように構成した飲料自動注出装置１０においては、注出ノズル２３は泡用の注出ノズル２３ａと液用の注出ノズル２３ｂとからなるが、本発明はこれに限られるものでなく、１つの注出ノズル２３から液状態及び泡状態の発泡性飲料を注出するようにしたものであってもよく、このようにしたときにも上述したのと同様の作用効果を得ることができる。また、ソフトドリンクのように発泡性のない飲料を注出するときであれば、注出ノズル２３の弁機構部２１ａを液用にのみ開放させるようするのが好ましい。
【００５２】
上記のように構成した飲料自動注出装置１０においては、受台傾動装置４０により容器受台装置３０の傾動基板３１を起立姿勢から傾斜姿勢とすることで、受台３２に載置した容器を起立姿勢から傾斜姿勢に傾斜させて、注出コック２０から飲料を自動注出するようにしたが、本発明はこれに限られるものでなく、受台３２に載置した容器を傾斜姿勢に傾斜させることなく、注出コックから飲料を自動注出するようにしたものであってもよい。
【符号の説明】
【００５３】
１０…飲料自動注出装置、１１…装置本体、２０…注出コック、２１ａ…弁機構部、２４…コック操作装置（コック駆動装置）、３３…検知器、５０…制御装置、６７…表示部。
【図１】
0006564234.tif 000002
【図２】
0006564234.tif 000003
【図３】
0006564234.tif 000004
【図４】
0006564234.tif 000005